(57)【要約】【課題】表現力に富むペーパークラフトを提供する。【解決手段】紙によって作られた下部鑑賞物３および上部鑑賞物４と、下部鑑賞物３および上部鑑賞物４を収納するディスプレイケース２とを備える。ディスプレイケース２は、底蓋１１と、筒体１２と、上蓋１３とを備える。筒体１２には鑑賞物に関連する絵柄２７が設けられている。【選択図】  図１
0003219931.tif 000002
【実用新案登録請求の範囲】
【請求項１】
紙によって作られた鑑賞物と、
前記鑑賞物を収納するディスプレイケースとを備え、
前記ディスプレイケースは、
前記鑑賞物が載せられる底蓋と、
前記底蓋の上に載せられて下端の開口が閉塞された透明な筒体と、
前記筒体の上端の開口部を閉塞する上蓋とを備え、
前記筒体には前記鑑賞物に関連する絵柄が設けられていることを特徴とするペーパークラフト。
【請求項２】
請求項１記載のペーパークラフトにおいて、
前記底蓋と前記上蓋とのうち少なくとも一方は、前記鑑賞物が取付けられる取付座を有していることを特徴とするペーパークラフト。
【請求項３】
請求項１または請求項２記載のペーパークラフトにおいて、
前記ディスプレイケースは、複数の前記ディスプレイケースを水平方向に並べて設置可能な角柱状に形成され、
前記底蓋の側部および前記上蓋の側部には、水平方向に互いに隣り合う前記ディスプレイケースどうしを連結する、凹部と凸部とからなる嵌合構造が設けられていることを特徴とするペーパークラフト。
【請求項４】
請求項１ないし請求項３のうちいずれか一つに記載のペーパークラフトにおいて、
前記ディスプレイケースは、複数の前記ディスプレイケースを上下方向に重ねて設置可能な角柱状に形成され、
前記底蓋の底面および前記上蓋の上面には、上下方向に互いに隣り合う前記ディスプレイケースどうしを連結する、凹部と凸部とからなる嵌合構造が設けられていることを特徴とするペーパークラフト。
【考案の詳細な説明】
【技術分野】
【０００１】
本考案は、ディスプレイケースを備えたペーパークラフトに関する。
【背景技術】
【０００２】
従来のペーパークラフトとしては、例えば非特許文献１に記載されているように、紙によって作られたパーツを組み合わせたり積み重ねたりして建物や風景、キャラクターなどの立体的な鑑賞物を製作するものがある。この種の鑑賞物は、製作後に例えば特許文献１に開示されているようなディスプレイケースに収納されて鑑賞されることが多い。
【０００３】
このディスプレイケースは、鑑賞物が載せられるケース本体と、このケース本体に被せられた透明な透視フードとを備えている。
鑑賞物がこのディスプレイケースに収納されることにより、鑑賞物を汚すことなく長期間にわたって鑑賞できるようになる。
【先行技術文献】
【特許文献】
【０００４】
【特許文献１】特開２００６−６１１８６号公報
【非特許文献】
【０００５】
【非特許文献１】株式会社さんけい、"みにちゅあーとキット"、[online]、[平成１８年１１月９日検索]、インターネット<URL:http://www.m-sankei.co.jp/03hobby-craft_goods/index.html>
【考案の概要】
【考案が解決しようとする課題】
【０００６】
非特許文献１に記載されているような鑑賞物をディスプレイケースに収納すると、鑑賞物の周囲がディスプレイケースで仕切られる。このような鑑賞物は、小さくまとまって見えるようになり、表現力に乏しいという問題があった。このため、表現力に富み、見た者が鑑賞物を中心としたリアルな情景を思い浮かべることが可能なペーパークラフトが要請されている。
【０００７】
本考案の目的は、表現力に富むペーパークラフトを提供することである。
【課題を解決するための手段】
【０００８】
この目的を達成するために、本考案に係るペーパークラフトは、紙によって作られた鑑賞物と、前記鑑賞物を収納するディスプレイケースとを備え、前記ディスプレイケースは、前記鑑賞物が載せられる底蓋と、前記底蓋の上に載せられて下端の開口が閉塞された透明な筒体と、前記筒体の上端の開口部を閉塞する上蓋とを備え、前記筒体には前記鑑賞物に関連する絵柄が設けられているものである。
【０００９】
本考案は、前記ペーパークラフトにおいて、前記底蓋と前記上蓋とのうち少なくとも一方は、前記鑑賞物が取付けられる取付座を有していてもよい。
【００１０】
本考案は、前記ペーパークラフトにおいて、前記ディスプレイケースは、複数の前記ディスプレイケースを水平方向に並べて設置可能な角柱状に形成され、前記底蓋の側部および前記上蓋の側部には、水平方向に互いに隣り合う前記ディスプレイケースどうしを連結する、凹部と凸部とからなる嵌合構造が設けられていていもよい。
【００１１】
本考案は、前記ペーパークラフトにおいて、前記ディスプレイケースは、複数の前記ディスプレイケースを上下方向に重ねて設置可能な角柱状に形成され、前記底蓋の底面および前記上蓋の上面には、上下方向に互いに隣り合う前記ディスプレイケースどうしを連結する、凹部と凸部とからなる嵌合構造が設けられていてもよい。
【考案の効果】
【００１２】
本考案においては、ディスプレイケースの中に鑑賞物が収納された状態で鑑賞物の周囲に絵柄が配置されるから、鑑賞物の立体感が増す。このため、本考案によれば、表現力に富み、見た者が鑑賞物を中心としたリアルな情景を思い浮かべることが可能なペーパークラフトを提供することができる。
【図面の簡単な説明】
【００１３】
【図１】本考案に係るペーパークラフトの完成状態の斜視図である。
【図２】本考案に係るペーパークラフトの完成状態の斜視図である。
【図３】ディスプレイケースの分解斜視図である。
【図４】下部鑑賞物の斜視図である。
【図５】上部鑑賞物の斜視図である。
【図６】上蓋と上部鑑賞物を下方から見た状態を示す斜視図である。
【図７】底蓋の水平方向に切断した断面図である。
【図８】上蓋の水平方向に切断した断面図である。
【図９】筒体の展開図である。
【図１０】本考案に係るペーパークラフトを水平方向および上下方向に重ねて並べた状態を示す斜視図である。
【図１１】他の実施の形態によるペーパークラフトの分解斜視図である。
【図１２】上蓋の変形例を示す斜視図である。
【考案を実施するための形態】
【００１４】
（第１の実施の形態）
以下、本考案に係るペーパークラフトの一実施の形態を図１〜図１０を参照して詳細に説明する。
図１に示すペーパークラフト１は、角柱状のディスプレイケース２と、このディスプレイケース２の中に収納された下部鑑賞物３（図４参照）および上部鑑賞物４（図５参照）とによって構成されている。以下において、このペーパークラフト１の構成を説明するうえで方向を示すにあたっては、便宜上、図１において斜め左下方を指向する面を前面とし、この前面と向き合うようにペーパークラフト１を見た状態で上側をペーパークラフト１の上側、右側をペーパークラフト１の右側として説明する。
【００１５】
ディスプレイケース２は、図３に示すように、最も下に位置する底蓋１１と、この底蓋１１の上に載せられる筒体１２と、この筒体１２の上端の開口部を閉塞する上蓋１３とによって構成されている。この実施の形態によるディスプレイケース２は、図１０に示すように、複数のディスプレイケース２を水平方向および上下方向に並べて設置可能な角柱状に形成されている。
【００１６】
底蓋１１は、不透明なプラスチック材料によって上方に向けて開口する有底角筒状に形成されている。底蓋１１は、図７に示すように、上方から見て正方形の底壁１１ａと、この底壁１１ａを囲む枠状の側壁１１ｂとによって形成されている。底壁１１ａの上面には、図３に示すように、複数の凸片１４が上方に向けて突設されている。これらの凸片１４は、筒体１２や後述する下部鑑賞物３とを底蓋１１に取付けるための取付座を構成するものである。この凸片１４は、上方から見て底蓋１１の角に沿うＬ字状に形成されており、底蓋１１の側壁１１ｂとの間に所定の広さの隙間が形成されるように底蓋１１の４つの角部にそれぞれ設けられている。
【００１７】
筒体１２の下端は、これらの凸片１４と側壁１１ｂとの間に挿入される。凸片１４には、筒体１２の下端を側壁１１ｂに押し付けるために、複数の突起１５（図７参照）が設けられている。この実施の形態においては、底蓋１１の凸片１４が請求項２記載の考案でいう下蓋の「鑑賞物が取付けられる取付座」に相当する。
側壁１１ｂの４つの外側面には、図７に示すように、凹部１６および凸部１７がそれぞれ形成されている。凹部１６は、側壁１１ｂと対向する方向に開口している。
【００１８】
凸部１７は、側壁１１ｂと対向する方向に突出している。これらの凹部１６と凸部１７は、互いに嵌合可能な形状に形成されている。このため、この底蓋１１に図１０に示すように他の底蓋１１を水平方向に重ねることによって、底蓋１１の凹部１６と凸部１７に他の底蓋１１の凸部１７と凹部１６とがそれぞれ嵌合する。すなわち、この底蓋１１には、水平方向に互いに隣り合うディスプレイケース２どうしを連結する嵌合構造１８が設けられている。
【００１９】
底蓋１１の底面には、図２に示すように複数の凹部１９が形成されている。これらの凹部１９は、後述する上蓋１３の上面に設けられた凸部２０と嵌合するように形成されている。このため、底蓋１１の底面および上蓋１３の上面には、上下方向に互いに隣り合うディスプレイケース２どうしを連結する、凹部１９と凸部２０とからなる嵌合構造２１が設けられている。
【００２０】
筒体１２は、透明なプラスチック材料によって角筒状に形成されている。この実施の形態による筒体１２は、図９に示すような１枚の透明なプラスチック板製の母材２２を折り曲げて形成されている。母材２２から筒体１２を形成するためには、母材２２を図９中に破線で示す谷折り線２３で谷折りとなるように折り曲げ、図９に示す母材２２の左端部２２ａと右端部２２ｂとを重ねる。
この母材２２における、筒体１２の前面１２ａとなる前部分Ａの表面（筒体１２の内面になる面）には、前面１２ａを囲む枠状の絵柄２４が印刷されている。
【００２１】
母材２２における、筒体１２の右側面１２ｂおよび左側面１２ｃとなる右部分Ｂと左部分Ｃの表面（筒体１２の内面になる面）には、右側面１２ｂや左側面１２ｃを囲む枠状の絵柄２５，２６と、後述する下部鑑賞物３および上部鑑賞物４と関連する側方の絵柄２７，２８とが印刷されている。この実施の形態による側方の絵柄２７，２８は、「星空」や「空を舞うような葉」などである。
母材２２における、筒体１２の後面１２ｄとなる後部分Ｄの表面（筒体１２の内面になる面）には、後述する下部鑑賞物３および上部鑑賞物４と関連する後方の絵柄２９が印刷されている。この実施の形態による後方の絵柄２９は、「月夜の空の景色」である。
【００２２】
上蓋１３は、透明なプラスチック材料によって下方に向けて開口する有底角筒状に形成されている。上蓋１３は、図８に示すように、上方から見て正方形の天井壁１３ａと、この天井壁１３ａを囲む枠状の側壁１３ｂとによって形成されている。天井壁１３ａの下面（下方を指向する面）には、図６に示すように、複数の凸片３１が下方に向けて突設されている。これらの凸片３１は、筒体１２や後述する上部鑑賞物４を上蓋１３に取付けるための取付座を構成するものである。これらの凸片３１は、底蓋１１の凸片１４と同一の構成が採られており、筒体１２の上端を上蓋１３の側壁１３ｂに押し付けるために、複数の突起３２（図６参照）が設けられている。
【００２３】
この実施の形態による天井壁１３ａの下面には、下方に向けて突出する複数の柱状突起３３が設けられている。これらの柱状突起３３は、後述する上部鑑賞物４を上蓋１３に固定するためのもので、円柱状に形成されて上蓋１３内の四隅と中央部とにそれぞれ設けられている。この実施の形態においては、これらの柱状突起３３と上蓋１３の凸片３１とが請求項２記載の考案でいう上蓋の「鑑賞物が取付けられる取付座」に相当する。
【００２４】
上蓋１３の側壁１３ｂの４つの外側面には、図８に示すように、凹部３４および凸部３５がそれぞれ形成されている。凹部３４は、側壁１３ｂと対向する方向に開口している。凸部３５は、側壁１３ｂと対向する方向に突出している。これらの凹部３４と凸部３５は、互いに嵌合可能な形状に形成されている。このため、この上蓋１３に他の上蓋１３を水平方向に重ねることによって、上蓋１３の凹部３４と凸部３５に他の底蓋１１の凸部３５と凹部３４とがそれぞれ嵌合する。すなわち、この上蓋１３には、水平方向に互いに隣り合うディスプレイケース２どうしを連結する嵌合構造３６が設けられている。
上蓋１３の上面には、底蓋１１の底面の凹部１９に嵌合する凸部２０が形成されている。
【００２５】
下部鑑賞物３は、所定の形状に形成された複数の硬質の紙からなる板状のパーツを互いに組み合わせたり重ね合わせ、接着剤（図示せず）で互いに接着して一つの組立体となるように形成されている。すなわち、下部鑑賞物３は、紙によって作られている。板状のパーツは、図示していない台紙から切り離して使用する。この実施の形態による下部鑑賞物３は、雲の上の景色を模して形成されている。詳述すると、下部鑑賞物３は、図４に示すように、下部鑑賞物３の外枠４１を構成する前板４２、右板４３、左板４４および後板４５と、この外枠４１の中に水平に設けられた底板４６と、この底板４６の上に立てられた複数の下部縦板４７〜５２とを備えている。
【００２６】
前板４２、右板４３、左板４４および後板４５は、それぞれ雲の形状に形成されている。これらの４枚の板からなる外枠４１は、上方から見て四角形である。この外枠４１は、上述した底蓋１１の４つの凸片１４によって構成された枠の中に嵌合する。
下部縦板４７〜５２は、左右方向と上下方向とに延びる状態で底板４６に立設されている。この実施の形態による下部縦板４７〜５２は、前方から見て雲の形状に形成されており、前後方向に所定の間隔をおいて並びかつ最も高い部分が左右方向にずれて位置するように設けられている。
【００２７】
上部鑑賞物４は、下部鑑賞物３と同様に、複数の硬質の紙からなる板状のパーツを互いに組み合わせたり重ね合わせ、接着剤（図示せず）で互いに接着して一つの組立体となるように形成されている。すなわち、上部鑑賞物４は、紙によって作られている。
この実施の形態による上部鑑賞物４は、キャラクターが空を飛ぶ風景を模して形成されている。上部鑑賞物４は、図５および図６に示すように、上部鑑賞物４の上端部を構成する箱体６１と、この箱体６１に下方へ向けて凸設された複数の上部縦板６２〜６４とを備えている。
【００２８】
箱体６１は、詳細には図示してはいないが、１枚の板状パーツを折り曲げて形成されている。この箱体６１を上方から見た形状は四角形である。この箱体６１は、上述した上蓋１３の４つの凸片３１によって構成された枠の中に嵌合する。
この箱体６１の上面と下面とには、複数の穴６５が形成されている。これらの穴６５は、雲の間から見える空を模した形状に形成されている。このように箱体６１に穴６５が形成されていることにより、これらの穴６５から箱体６１の下方に光が通るようになる。
また、箱体６１の上面には、図５に示すように、複数の丸穴６６が形成されている。これらの丸穴６６は、上蓋１３の柱状突起３３を圧入できるように形成されている。この丸穴６６に柱状突起３３が圧入されることにより、箱体６１を含む上部鑑賞物４が上蓋１３に固定される。
【００２９】
上部縦板６２〜６４は、図６に示すように、左右方向と上下方向とに延びる状態で箱体６１の下面に立設されている。これらの上部縦板６２〜６４は前後方向に所定の間隔をおいて並ぶように設けられている。この実施の形態においては３枚の上部縦板６２〜６４が箱体６１に取付けられている。これらの上部縦板６２〜６４の箱体６１への固定は、図示してはいないが、上部縦板６２〜６４の上端に上方へ突出するように設けられた取付片を箱体６１のスリットに挿入し、このスリットから上方に突出した取付片に水平方向へストッパー片を差し込むことによって行われる。ストッパー片は、取付片に形成されているスリットに差し込まれる。
【００３０】
３枚の上部縦板６２〜６４のうち、中央に位置する上部縦板６３は複数の板状パーツを厚み方向に重ねて形成されており、雲６３ａと、この雲６３ａの下方に位置するキャラクター６３ｂとが形成されている。中央に位置する上部縦板６３は、所定の強度を有するように、複数の板状パーツを厚み方向に重ねて形成されている。
３枚の上部縦板６２〜６４のうち、両端部に位置する上部縦板６２，６４は、雲の形状となるように形成されている。
【００３１】
このように構成されたペーパークラフト１を組立てるためには、先ず、下部鑑賞物３を組立て、この下部鑑賞物３を底蓋１１に載せる。このとき、凸片１４どうしの間に外枠４１を嵌め込む。次に、筒体１２の母材２２を折り曲げて筒体１２を形成し、この筒体１２を底蓋１１に取付ける。この取付けは、凸片１４と側壁１１ｂとの間に筒体１２の下端を押し込んで行う。
【００３２】
次に、上部鑑賞物４の箱体６１の上面となる部分を上蓋１３の柱状突起３３に取付け、箱体６１の下面となる部分に３枚の上部縦板６２〜６４を取付ける。そして、箱体６１を箱状に組立てて上蓋１３の凸片３１どうしの間に嵌め込む。しかる後、上蓋１３と上部鑑賞物４とからなる組立体を筒体１２の上端部に取付ける。この取付けは、上蓋１３の凸片３１と側壁１３ｂとの間に筒体１２の上端を押し込んで行う。このように上蓋１３が筒体１２に取付けられることにより、ペーパークラフト１が完成する。
【００３３】
ディスプレイケース２の筒体１２には下部鑑賞物３や上部鑑賞物４と関連する側方の絵柄２７，２８と、後方の絵柄２９とが印刷されている。これらの絵柄２７〜２９は、ディスプレイケース２の中に下部鑑賞物３および上部鑑賞物４が収納された状態でこれらの下部鑑賞物３および上部鑑賞物４の周囲に配置される。このため、下部鑑賞物３や上部鑑賞物４の立体感が増す。
したがって、この実施の形態によれば、表現力に富み、見た者が下部鑑賞物３や上部鑑賞物４を中心としたリアルな情景を思い浮かべることが可能なペーパークラフトを提供することができる。
【００３４】
この実施の形態による底蓋１１は、下部鑑賞物３が取付けられる凸片１４（取付座）を有している。また、上蓋１３は、上部鑑賞物４が取付けられる凸片３１および柱状突起３３（取付座）を有している。このため、下部鑑賞物３と上部鑑賞物４とをディスプレイケース２に確実に固定することができる。特に、上蓋１３に上部鑑賞物４を固定することができると、宙に浮いている状態を模倣することができるから、これを見て思い浮かべる情景がより一層リアルになる。
【００３５】
この実施の形態によるディスプレイケース２の底蓋１１の側部および上蓋１３の側部には、水平方向に互いに隣り合うディスプレイケース２どうしを連結する、凹部１６，３４と凸部１７，３５とからなる嵌合構造１８，３６が設けられている。
このため、複数のペーパークラフト１を図１０に示すように水平方向に並べて保管することができる。
【００３６】
この実施の形態によるディスプレイケース２の底蓋１１の底面および上蓋１３の上面には、上下方向に互いに隣り合うディスプレイケース２どうしを連結する、凹部１９と凸部２０とからなる嵌合構造２１が設けられている。
このため、複数のペーパークラフト１を図１０に示すように上下方向に並べて保管することができる。
【００３７】
（第２の実施の形態）
鑑賞物は図１１に示すように構成することができる。図１１において、図１〜図１０によって説明したものと同一もしくは同等の部材については、同一符号を付し詳細な説明を適宜省略する。
図１１に示す鑑賞物７１は、複数の縦板７２〜７７を組み合わせて形成されている。この実施の形態においては６枚の縦板７２〜７７が用いられている。これらの縦板７２〜７７は、それぞれ枠状に形成されており、中央部の穴となる部分が鑑賞用の形状となるように形成されている。
【００３８】
また、これらの縦板７２〜７７は、左右方向と上下方向とに延びる状態で前後方向に所定の間隔をおいて並べられ、下端部の左右両側と、上端の左右方向中央部との３箇所で第１〜第３の板状連結片８１〜８３に接続されている。
縦板７２〜７７の下端の左右両側と第１および第２の板状連結片８１，８２との接続は、縦板７２〜７７に形成されたスリット８４，８５と、第１および第２の板状連結片８１，８２に形成されたスリット８６，８７とを互いに噛み合わせて行う。第１および第２の板状連結片８１，８２は、縦板７２〜７７が取付けられた状態で底蓋１１の４つの凸片１４からなる枠の中に嵌合するように形成されている。
【００３９】
縦板７２〜７７の上端の左右方向中央部と第３の板状連結片８３との接続は、縦板７２〜７７に突設された取付片８８を第３の板状連結片８３に形成されたスリット８９に挿入して行う。
このように複数の縦板７２〜７７が第１〜第３の板状連結片８１〜８３を介して互いに接続されることにより、一つの組立体からなる鑑賞物７１が形成される。この鑑賞物７１は、底蓋１１の４つの凸片１４からなる枠に上方から嵌合されて底蓋１１に取付けられる。
【００４０】
鑑賞物７１の上端部と上蓋１３との間には箱体９１が設けられている。この箱体９１は、鑑賞物７１の天井を構成するもので、第１の実施の形態で示した箱体６１と同様に箱状形成されて上蓋１３に固定されている。
この実施の形態によるディスプレイケース２の筒体１２の前面１２ａ、右側面１２ｂおよび左側面１２ｃは、縦板７２〜７７と同系色の半透明な色で塗装されている。ディスプレイケース２の後面１２ｄは、不透明な色で塗装されている。この筒体１２の前面１２ａには、枠状の絵柄２４が印刷され、筒体１２の右側面１２ｂ、左側面１２ｃと後面１２ｄとには、鑑賞物７１と関連する絵柄２７〜２９が印刷されている。
このため、この実施の形態においては筒体１２の色と、筒体１２の絵柄２７〜２９との影響を受けて鑑賞物７１の立体感が増し、表現力に富むようになるから、見た者が鑑賞物７１を中心としたリアルな情景を思い浮かべることが可能なペーパークラフトを提供することができる。
【００４１】
（上蓋の変形例）
上述した各実施の形態で示した上蓋は鑑賞物を支持するために複数の柱状突起を有している。しかし、鑑賞物が底蓋１１のみによって支持可能である場合は、図１２に示すように、柱状突起を有していない上蓋１０１を使用することができる。
この上蓋１０１は、柱状突起を有していない点のみにおいて、上述した上蓋１３とは異なっている。
【００４２】
（筒体の変形例）
上述した実施の形態による筒体１２は、右側面１２ｂと、左側面１２ｃと、後面１２ｄとに「鑑賞物に関連する絵柄」として絵柄２７〜２９が設けられている。しかし、本考案においては、このような限定にとらわれることなく、筒体１２の前面１２ａと、右側面１２ｂと、左側面１２ｃと、後面１２ｄとのうち、少なくとも一つの面に「鑑賞物に関連する絵柄」が設けられていれば、同等の効果が得られる。
【００４３】
また、上述した第１および第２の実施の形態による筒体１２は、角筒によって構成されている。しかし、本考案に係るペーパークラフトの円筒は、円柱状であってもよいし、開口形状が３角形、５角形、６角形など、多角形のものでもよい。
さらに、上述した第１の実施の形態においては底蓋１１に下部鑑賞物３が取付けられ、上蓋１３に上部鑑賞物４が取付けられる例を示し、第２の実施の形態においては底蓋１１に鑑賞物７１が取付けられる例を示した。しかし、本考案に係るペーパークラフト１は、鑑賞物が上蓋１３のみに取付けられる構成を採ることができる。すなわち、鑑賞物が取付けられる取付座は、底蓋１１と上蓋１３とのうち少なくとも一方に設けられていればよい。
【符号の説明】
【００４４】
１…ペーパークラフト、２…ディスプレイケース、３…下部鑑賞物、４…上部鑑賞物、１１…底蓋、１２…筒体、１３…上蓋、１４，３１…凸片（取付座）、１６，３４，１９…凹部、１７，３５，２０…凸部、１８，２１，３６…嵌合構造、２７〜２９… 絵柄(鑑賞物に関する絵柄）、３３…柱状突起（取付座）。
【図１】
0003219931.tif 000003
【図２】
0003219931.tif 000004
【図３】
0003219931.tif 000005
【図４】
0003219931.tif 000006
【図５】
0003219931.tif 000007
【図６】
0003219931.tif 000008
【図７】
0003219931.tif 000009
【図８】
0003219931.tif 000010
【図９】
0003219931.tif 000011
【図１０】
0003219931.tif 000012
【図１１】
0003219931.tif 000013
【図１２】
0003219931.tif 000014